(57)【特許請求の範囲】
【請求項１】
遊技機の動作状態を制御する所定の制御基板と、
前記所定の制御基板が定設されるケース本体と、
前記所定の制御基板を覆うように前記ケース本体に取り付けられるカバー部材と、
前記ケース本体からカバー部材が取り外されたことを検出する検出手段と、
前記検出手段に電源を供給する電源供給手段と、
前記検出手段から出力される検出情報を外部に出力する出力手段とを備えた遊技機において、
前記ケース本体は、上側に開放される箱体状に形成されると共に、上側端面の全周に形成された所定深さの溝部を有し、
前記カバー部材は、下側に開放される箱体状に形成されると共に、開放側下端部の全周が前記溝部に嵌入されて該溝部の底面に当接される側壁部を有し、
前記検出手段は、前記ケース本体の相対向する側壁部における前記溝部の底面に導電性を有する薄膜で一対の第１端子部が形成されると共に、該一対の第１端子部を接続するように該溝部に設けられる接続ケーブルから構成された第１部分回路部と、
前記カバー部材の開放側下端面の前記一対の第１端子部に対向する位置に導電性を有する薄膜で一対の第２端子部が形成されると共に、該一対の第２端子部を接続するように該カバー部材の相対向する前記側壁部の内側面と内側天井面に導電性を有する薄膜で形成された第２部分回路部と、を有し、
前記ケース本体の溝部に前記カバー部材の側壁部の開放側下端部を嵌入して取り付けた場合には、前記第１部分回路部の一対の第１端子部と前記第２部分回路部の一対の第２端子部とが接触して電気回路が構成され、前記ケース本体からカバー部材を取り外した場合には、該第１部分回路部の一対の第１端子部が第２部分回路部の一対の第２端子部から離間されて電気回路が遮断されて、前記出力手段を介して検出情報が外部に出力されることを特徴とする遊技機。
【発明の詳細な説明】
【０００１】
【発明の属する技術分野】
本発明は、制御基板が収納される基板ケースを備えたパチンコ機等の遊技機に関し、特に、基板ケースのケース本体とカバー部材との一方の当接側端縁部に凹部を設け、この凹部の底面又は該凹部に嵌入される他方の当接側端縁部の先端面に、外部等から電源供給される検出スイッチ等を設けることによって、該検出スイッチ等を保護することができると共に、基板ケースのケース本体からカバー部材が取り外されたことを遊技機の外部から繰り返し検出することができる遊技機に関するものである。
【０００２】
【従来の技術】
近年のパチンコ機等の遊技機においては、回路基板の一つであって、遊技機のゲーム内容が書き込まれたＲＯＭを実装したメイン基板が、基板ケースに収納されて搭載されている。従って、遊技機のゲーム内容が不正に変更等されることを防止するために、かかるメイン基板を収納した基板ケースに対し、種々の不正な開放を検出する方法が提案されている。
例えば、特開平１０−２１１３３６号公報に記載されたセキュリティ管理システムでは、遊技場を構成する複数のパチンコ遊戯機への不正アクセスを防止するためのセキュリティ管理システムにおいて、前記パチンコ遊戯機の筐体ケースに内蔵されているＲＯＭが実装されたメイン基板を覆うと共に、改造を規制するための封印シールによって封印されたケースと前記筐体ケースとの間に貼着されるフィルムセンサーと、このフィルムセンサーによって検出された前記ケースの状態を示す情報を管理する情報管理手段と、この情報管理手段によって管理されている情報を前記パチンコ遊戯機に対応させて表示する表示手段と、を具備して構成されている。
【０００３】
これにより、メイン基板を覆っている筐体ケースを開けるため、フィルムセンサーを剥がすか、または、そのまま筐体ケースを開けることにより、フィルムセンサーが曲げ変位するので、筐体ケースの開封状態が検出され、この検出された情報は情報管理手段によって管理された後、表示手段により、パチンコ遊戯機に対応させた表示が行われるため、ケースの動きの検出によって間接的に改造ＲＯＭ（裏ＲＯＭ）へのすり替えを認識することができる。
【０００４】
【発明が解決しようとする課題】
しかしながら、上述した特開平１０−２１１３３６号公報に記載されたセキュリティ管理システムにおいては、メイン基板の検査・修理のために基板ケースを開封する場合には、上記フィルムセンサーを基板ケースから無理矢理剥がす必要があるため、この検査・修理作業が煩雑となり作業効率が低下するという問題がある。また、フィルムセンサーを基板ケースから剥がす場合や、パチンコ遊戯機の裏側機構の点検時に、該フィルムセンサを破壊するおそれが高く、メイン基板の保守・点検等のコストアップを招来するという問題がある。
【０００５】
そこで、本発明は、上述した問題点を解決するためになされたものであり、基板ケースを収納するケース本体からカバー部材が取り外されたことを遊技機の外部から繰り返し検出することができる遊技機を提供することを目的とする。
【０００６】
【課題を解決するための手段】
前記目的を達成するため請求項１に係る遊技機は、遊技機の動作状態を制御する所定の制御基板と、前記所定の制御基板が定設されるケース本体と、前記所定の制御基板を覆うように前記ケース本体に取り付けられるカバー部材と、前記ケース本体からカバー部材が取り外されたことを検出する検出手段と、前記検出手段に電源を供給する電源供給手段と、前記検出手段から出力される検出情報を外部に出力する出力手段とを備えた遊技機において、前記ケース本体は、上側に開放される箱体状に形成されると共に、上側端面の全周に形成された所定深さの溝部を有し、前記カバー部材は、下側に開放される箱体状に形成されると共に、開放側下端部の全周が前記溝部に嵌入されて該溝部の底面に当接される側壁部を有し、前記検出手段は、前記ケース本体の相対向する側壁部における前記溝部の底面に導電性を有する薄膜で一対の第１端子部が形成されると共に、該一対の第１端子部を接続するように該溝部に設けられる接続ケーブルから構成された第１部分回路部と、前記カバー部材の開放側下端面の前記一対の第１端子部に対向する位置に導電性を有する薄膜で一対の第２端子部が形成されると共に、該一対の第２端子部を接続するように該カバー部材の相対向する前記側壁部の内側面と内側天井面に導電性を有する薄膜で形成された第２部分回路部と、を有し、前記ケース本体の溝部に前記カバー部材の側壁部の開放側下端部を嵌入して取り付けた場合には、前記第１部分回路部の一対の第１端子部と前記第２部分回路部の一対の第２端子部とが接触して電気回路が構成され、前記ケース本体からカバー部材を取り外した場合には、該第１部分回路部の一対の第１端子部が第２部分回路部の一対の第２端子部から離間されて電気回路が遮断されて、前記出力手段を介して検出情報が外部に出力されることを特徴とする。
【０００７】
このような特徴を有する請求項１に係る遊技機においては、遊技機の動作状態を制御する所定の制御基板が、上側に開放される箱体状に形成されたケース本体に定設され、この所定の制御基板を覆うように下側に開放される箱体状に形成されたカバー部材が該ケース本体に取り付けられる。また、ケース本体にカバー部材を取り付けた場合には、該ケース本体の上側端面の全周に形成された所定深さの溝部に、該カバー部材の側壁部の開放側下端部の全周が嵌入されて該溝部の底面に当接される。また、ケース本体にカバー部材を取り付けた場合には、該ケース本体の溝部内に設けられた第１部分回路部に導電性を有する薄膜で形成された一対の第１端子部と、該カバー部材の開放側下端面及び内側面に導電性を有する薄膜で形成された第２部分回路部の一対の第２端子部とが接触して電気回路が構成される。そして、ケース本体からカバー部材を取り外した場合には、該第１部分回路部の一対の第１端子部が第２部分回路部の一対の第２端子部から離間されて電気回路が遮断され、検出情報が出力手段を介して外部に出力される。
これにより、第１部分回路部の一対の第１端子部と第２部分回路部の一対の第２端子部とは、ケース本体の溝部の底面とカバー部材の開放側下端部とによって封止されるため、一対の第１端子部と一対の第２端子部へのゴミ等の付着や破壊を防止できて長期間電気的性能を維持することができる。また、カバー部材が、ケース本体から持ち上げられたり、取り外された場合には、第１部分回路部の一対の第１端子部が第２部分回路部の一対の第２端子部から離間されて電気回路が遮断されるため、カバー部材が、ケース本体から持ち上げられたり、取り外された状態を、出力手段を介して外部から電気的に確実に検出できる。
また、溝部は、ケース本体の上端面の全周に形成されているため、この溝部へカバー部材の開放側下端部の全周を嵌入させることによって、溝部内へのゴミなどの侵入を防止でき、一対の第１端子部と一対の第２端子部へのゴミの付着などを長期間防止できる。
更に、再度、ケース本体にカバー部材を取り付けることにより、この第１部分回路部と第２部分回路部とを介してケース本体からカバー部材が取り外されたことを外部から繰り返し確実に検出できる。
【０００８】
【０００９】
【００１０】
【００１１】
【００１２】
【００１３】
【００１４】
【００１５】
【００１６】
【００１７】
【００１８】
【００１９】
【００２０】
【発明の実施の形態】
以下、本発明に係る遊技機をパチンコ機について具体化した第１乃至第３実施の形態を図面を参照して詳細に説明する。
先ず、第１実施形態に係るパチンコ機の全体構成について図１に基づき説明する。図１は第１実施形態に係るパチンコ機全体を示した背面図である。
図１において、パチンコ機１は、いわゆるＣＲ機（カードリーディング機）と称され、カード式球貸機とパチンコ機１とによって構成され、これらは対をなして設置されるが、図１においては、カード式球貸機の図示を省略している。
図１に示すように、このパチンコ機１は、木製の外枠２２に対して木製の内枠２３がヒンジ部材等を介して開閉自在に取り付けられている。また、この内枠２３の裏面のほぼ中央部には、不図示の遊技盤が前面側から着脱可能なように樹脂製の機構盤２４が取り付けられている。そして、この機構盤２４の片側には合成樹脂製のメインセット盤２５がヒンジ部材等を介して開閉自在に取り付けられている。
【００２１】
そして、パチンコ機１の裏側上部には、上方に開口した賞球タンク２６がメインセット盤２５に固定されている。賞球タンク２６の直上には補給装置が配設され、吐出部が垂直に降りている。この賞球タンク２６は、傾斜した底面に連通孔（不図示）が形成され、その連通孔の下方にはパチンコ球を３列に整列流出し得る傾斜したタンクレール２８が取付けられている。
【００２２】
また、賞球ケース３２へパチンコ球を案内する賞球案内部２９内には、タンクレール２８の下流側のパチンコ球を案内する２列の賞球通路３０が形成されている。また、賞球ケース３２には、各タンクレール２８、賞球通路３０を通過するパチンコ球の数を確認する確認スイッチ、パチンコ球の送り出しを調節する払い出しソレノイド等（いずれも不図示）が内装されている。そして、これら賞球タンク２６、タンクレール２８、賞球案内部２９、賞球ケース３２、確認スイッチ、及び払い出しソレノイド等により賞球払出システムが構成されている。
【００２３】
また、貸し球ケース３５へパチンコ球を案内する貸し球案内部３３内には、タンクレール２８の下流側のパチンコ球を案内する１列の貸し球通路３４が形成されている。また、貸し球ケース３５には、各タンクレール２８、貸し球通路３４を通過するパチンコ球の数を確認する確認スイッチ、パチンコ球の送り出しを調節する貸し球払い出しソレノイド等（いずれも不図示）が内装されている。そして、これら賞球タンク２６、タンクレール２８、貸し球案内部３３、貸し球ケース３５、確認スイッチ、及び貸し球払い出しソレノイド等により貸し球払出システムが構成されている。
【００２４】
そして、賞球ケース３２の下流側には排出部が形成され、排出路３６が下端部下方に開口して形成されている。また、この開口部の下方には、前面の上部受け皿（不図示）から溢れた賞球やファール球を受けて前面の下部受け皿（不図示）に案内する下部受皿ボックス３７がナットによりネジ止めされて内枠２３の裏側に取り付けられている。
【００２５】
また、メインセット盤２５上には、基板ボックス３８Ａ内に配置される主基板３８が、遊技盤裏面を覆う透明なＡＢＳ等の樹脂製のセンターカバー３９の下側に固定されている。この主基板３８には、パチンコ機１の遊技動作などを制御する制御回路が構成されている。
また、この基板ボックス３８Ａの左右長手方向中央部の上下外周部内側には、後述のように各開放検出スイッチ３８Ｂ、３８Ｃが配置されている（図２及び図４参照）。そして、各開放検出スイッチ３８Ｂ、３８Ｃには、後述のようにパチンコホールに配置されるホールコンピュータ等から構成される中央管理装置５１（図５参照）に接続するための接続ケーブル３８Ｄが接続されている（図２及び図５参照）。
【００２６】
また、主基板３８の前側（図１中、紙面裏側方向）には、コントロール基板が装着されたコントロールボックス４０が取り付けられている。このコントロール基板は、賞球払い出し及び貸し球払い出し等の制御を行うための制御回路を構成している。
【００２７】
また、コントロールボックス４０の左側には、反復回動自在に取り付けられて供給されるパチンコ球を連続的に叩打する槌４２をカム機構等を介して駆動する発射装置２０がネジ止め等により内枠２３に固定されている。
【００２８】
さらに、メインセット盤２５の上方角部（図１中、右上角部）には、中継基板４３が設けられている。この中継基板４３は、パチンコ機１とホールコンピュータ等から構成される中央管理装置５１とをつなぐ基板である。
【００２９】
次に、基板ボックス３８Ａの概略構成について図２乃至図５に基づいて説明する。図２は第１実施形態に係るパチンコ機１の基板ボックス３８Ａを構成するケース本体を示す図で、（Ａ）は平面図、（Ｂ）は正面図である。図３は第１実施形態に係るパチンコ機１の基板ボックス３８Ａを構成するカバー部材を示す図で、（Ａ）は平面図、（Ｂ）は正面図である。図４は第１実施形態に係るパチンコ機１の基板ボックス３８Ａの組み立てを模式的に示すための各開放検出スイッチ３８Ｂ、３８Ｃを含む要部断面図である。図５は第１実施形態に係るパチンコ機１の基板ボックス３８Ａに装着される各開放検出スイッチ３８Ｂ、３８Ｃ及び接続ケーブル３８Ｄにより構成される電気回路を模式的に示す図である。
【００３０】
図２乃至図４に示すように、基板ボックス３８Ａは、主基板３８、この主基板３８が固定されるケース本体４６、主基板３８を覆うポリカーボネート樹脂等の合成樹脂により形成された透明なカバー部材４５、カバー部材４５の取り付け・取り外しを検出するための各開放検出スイッチ３８Ｂ、３８Ｃ、及び接続ケーブル３８Ｄから構成されている。尚、この主基板３８には、パチンコ機１の賞球払い出し制御等の遊技動作を制御する制御回路が構成されている。
【００３１】
また、図２に示すように、ケース本体４６の上側端面には全周に所定深さの凹部を構成する溝部４７が形成されている。この溝部４７には、後述のようにカバー部材４５の先端部が嵌入され、カバー部材４５の端面が溝部４７の底面に当接される（図４参照）。また、この溝部４７の長手方向の各中央部には、後述のように各々の位置（図２（Ａ）中、上下の各中央位置）に各開放検出スイッチ３８Ｂ、３８Ｃが配置されている（図４参照）。また、この溝部４７内には、各開放検出スイッチ３８Ｂ、３８Ｃと中央管理装置５１とを接続するための接続ケーブル３８Ｄを構成する配線が配置され、ケース本体４６の一端側（図２中、右側）端面部から外側に引き出されている。
【００３２】
また、ケース本体４６の内側底面の４箇所に主基板３８を取り付けるための各取付ボス４８、４８、４８、４８が立設されている。この各取付ボス４８、４８、４８、４８の上端面には、所定深さのネジ孔が形成され、主基板３８がビス等によってネジ止めされる。
また、ケース本体４６の一側端縁部（図２中、左側端縁部）には、４個の第１突片部４９Ａ、４９Ｂ、４９Ｃ、４９Ｄが突き出されて設けられている。この各第１突片部４９Ａ、４９Ｂ、４９Ｃ、４９Ｄの側面の中心軸に対して対称な位置の２カ所には、係止孔５０が形成されている。
更に、ケース本体４６の他側端縁部（図２中、右側端縁部）には、ほぼ等間隔で３箇所に各第１取付部５２、５２、５２が突き出されて設けられている。この各第１取付部５２、５２、５２には上下に貫通するネジ孔が形成されている。
【００３３】
また、図３に示すように、カバー部材４５の各第１突片部４９Ａ、４９Ｂ、４９Ｃ、４９Ｄに対向する位置には、開放側端面から溝部４７の深さ寸法離れた位置に４個の各第２突片部５３Ａ、５３Ｂ、５３Ｃ、５３Ｄが各々突き出されて設けられている。また、カバー部材４５の各第１取付部５２、５２、５２に対応する位置には、開放側端面から溝部４７の深さ寸法離れた位置に３個の各第２取付部５４、５４、５４が各々突き出されて設けられている。この各第２取付部５４、５４、５４にはビスが挿入される貫通孔が穿設されている。
【００３４】
また、図４に示すように、各開放検出スイッチ３８Ｂ、３８Ｃは、各スイッチ本体５６、５６と、スイッチ本体５６に対してスイッチ本体５６から突出したりスイッチ本体５６内部に収納されたりできるように構成される各接触部材５７、５７とから構成されている。そして、接触部材５７にはスイッチ本体５６内に図示しないバネによって弾性力が加えられており、外力がかかていない状態においては、スイッチ本体５６から突き出している。そして、バネの弾性力に抗して外力が加えられると、スイッチ本体５６内部に収納される。そして、この各スイッチ本体５６、５６は、上端面が溝部４７の底面と同じ高さになるように溝部４７の底面に埋め込まれている。
また、図５に示すように、このスイッチ本体５６内には電気回路を備えており、接触部材５７がスイッチ本体５６から突き出している状態の場合には、この電気回路は遮断される。また、接触部材５７がスイッチ本体５６内部に収納された状態の場合には、この電気回路は接続状態になる。また、各開放検出スイッチ３８Ｂ、３Ｃは、接続ケーブル３８Ｄを介して直列に接続されている。尚、各開放検出スイッチ３８Ｂ、３８Ｃの電気回路には、接続ケーブル３８Ｄを介して中央管理装置５１から所定の電圧がかけられる。
【００３５】
次に、図４に示すように、基板ボックス３８Ａの組み立ては、ケース本体４６に主基板３８を取り付け後、カバー部材４５の開放側先端部を溝部４７に嵌入させて、溝部４７の底面に当接するまで矢印Ａ方向に押し込む。続いて、各第２取付部５４、５４、５４にビスを挿入して各第１取付部５２、５２、５２にネジ止めする。そして、第２突片部５３Ａに不図示の茶色の合成樹脂製の係止部材を上側から嵌挿して、該係止部材の下側に突出して設けられる２個の弾性係止片の先端部に形成される係止突起を第１突片部４９Ａの各係止孔５０、５０に係り止めさせることにより、カバー部材４５のケース本体４６への取り付けが封止される。同時に、各開放検出スイッチ３８Ｂ、３８Ｃの各接触部材５７、５７はカバー部材４５の先端面に押さえられて、各スイッチ本体５６、５６内部に収納された状態になる。即ち、各開放検出スイッチ３８Ｂ、３８Ｃが接続ケーブル３８Ｄによって直列に接続された状態になり、接続ケーブル３８Ｄの先端部において電気的導通を検出することができる（図５参照）。
一方、カバー部材４５をケース本体４６から少し持ち上げて、各開放検出スイッチ３８Ｂ、３８Ｃの少なくとも一方の接触部材５７がスイッチ本体５６から突き出した状態になった場合には、各開放検出スイッチ３８Ｂ、３８Ｃ及び接続ケーブル３８Ｄによって構成される電気回路は遮断された状態になり、接続ケーブル３８Ｄの先端部において電気的切断を検出することができる（図５参照）。
また、第１突片部４９Ａ及び第２突片部５３Ａをケース本体４６とカバー部材４５とから切断すると共に、各第１取付部５２、５２、５２及び第２取付部５４、５４、５４からビスを取り外して、カバー部材４５をケース本体４６から取り外した場合にも、同様に、各開放検出スイッチ３８Ｂ、３８Ｃ及び接続ケーブル３８Ｄによって構成される電気回路は遮断された状態になり、接続ケーブル３８Ｄの先端部において電気的切断を検出することができる（図５参照）。
【００３６】
そして、再度、カバー部材４５の開放側先端部を溝部４７に嵌入させて、溝部４７の底面に当接するまで矢印Ａ方向に押し込む。続いて、各第２取付部５４、５４、５４にビスを挿入して各第１取付部５２、５２、５２にネジ止めする。そして、第２突片部５３Ｂに不図示の茶色の合成樹脂製の係止部材を上側から嵌挿して、該係止部材の下側に設けられる２個の弾性係止片の先端部に形成される係止突起を第１突片部４９Ｂの各係止孔５０、５０に係り止めさせることにより、カバー部材４５のケース本体４６への取り付けが封止される。同時に、各開放検出スイッチ３８Ｂ、３８Ｃの各接触部材５７、５７はカバー部材４５の先端面に押さえられて、各スイッチ本体５６、５６内部に収納された状態になる。即ち、各開放検出スイッチ３８Ｂ、３８Ｃが接続ケーブル３８Ｄによって直列に接続された状態になり、接続ケーブル３８Ｄの先端部において電気的導通を検出することができる（図５参照）。したがって、最大４回まで、基板ボックス３８Ａを封止することができる。
【００３７】
以上詳細に説明した通り第１実施形態に係るパチンコ機１の基板ボックス３８Ａは、ケース本体４６に主基板３８を取り付け後、カバー部材４５の開放側先端部を溝部４７に嵌入させて、溝部４７の底面に当接するまで矢印Ａ方向に押し込む。続いて、カバー部材４５をケース本体４６に取り付けて、主基板３８を基板ボックス３８Ａ内に封止する。これにより、各開放検出スイッチ３８Ｂ、３８Ｃの各接触部材５７、５７はカバー部材４５の先端面に押さえられて、各スイッチ本体５６、５６内部に収納された状態になる。即ち、各開放検出スイッチ３８Ｂ、３８Ｃが接続ケーブル３８Ｄによって直列に接続された状態になると共に、中央管理装置５１から所定の電圧が接続ケーブル３８Ｄを介して印可されて接続ケーブル３８Ｄの先端部において電気的導通を検出することができる。
【００３８】
したがって、各開放検出スイッチ３８Ｂ、３８Ｃは、凹部を構成する溝部４７の底面に設けられるため、各開放検出スイッチ３８Ｂ、３８Ｃを該溝部４７とカバー部材４５の先端部によって構成される空間内に封止でき、各開放検出スイッチ３８Ｂ、３８Ｃへのゴミ等の付着や破壊を防止できて長期間電気的性能を維持することができる。また、カバー部材４５が、ケース本体４６から持ち上げられたり、取り外された場合には、各開放検出スイッチ３８Ｂ、３８Ｃの内部に構成される電気回路が遮断されるため、カバー部材４５が、ケース本体４６から持ち上げられたり、取り外された状態を、接続ケーブル３８Ｄを介して外部から電気的に確実に検出できる。また、再度、ケース本体４６にカバー部材４５を取り付けることにより、カバー部材４５が、ケース本体４６から持ち上げられたり、取り外された状態を、この各開放検出スイッチ３８Ｂ、３８Ｃ及び接続ケーブル３８Ｄを介して外部から繰り返し電気的に確実に検出できる。
また、溝部４７は、ケース本体４６の上端面の全周に形成されているため、この溝部４７内へのゴミなどの侵入を防止でき、各開放検出スイッチ３８Ｂ、３８Ｃへのゴミの付着などを長期間防止できる。
また、中央管理装置５１から各開放検出スイッチ３８Ｂ、３８Ｃへ所定の電圧を印可するため、パチンコ機１の主基板３８等にショート等が発生してパチンコ機１の主基板３８等の動作が停止しても、カバー部材４５が、ケース本体４６から持ち上げられたり、取り外された状態を、接続ケーブル３８Ｄを介して外部から電気的に確実に検出できる。
更に、各開放検出スイッチ３８Ｂ、３８Ｃは、接続ケーブル３８Ｄを介して中央管理装置５１に接続されるため、パチンコホール内の多くのパチンコ機を集中管理することができ、パチンコ機等の管理費用の削減化を図ることができる。
【００３９】
次に、第２実施形態に係るパチンコ機について説明する。第２実施形態に係るパチンコ機の概略構成は、第１実施形態に係るパチンコ機１とほぼ同じ構成である。但し、第２実施形態に係るパチンコ機の基板ボックスの開放検出スイッチの構成は、第１実施形態に係る基板ボックス３８Ａの各開放検出スイッチ３８Ｂ、３８Ｃの構成と異なっている。
【００４０】
ここで第２実施形態に係るパチンコ機の基板ボックスの概略構成について、図６乃至図８に基づいて説明する。図６は第２実施形態に係るパチンコ機の基板ボックスを構成するケース本体４６を示す平面図である。図７は第２実施形態に係るパチンコ機の基板ボックスを構成するカバー部材４５を示す図で、（Ａ）は平面図、（Ｂ）は正面図である。図８は第２実施形態に係るパチンコ機の基板ボックスの組み立てを模式的に示すための各第１端子部及び第２端子部を含む要部断面図である。
【００４１】
図６乃至図８に示すように、第２実施形態に係る基板ボックス６１は、第１実施形態に係る基板ボックス３８Ａと同様に、上記主基板３８、この主基板３８が固定されるケース本体４６、及び主基板３８を覆うポリカーボネート樹脂等の合成樹脂により形成された透明なカバー部材４５から構成されている。
また、図６及び図８に示すように、ケース本体４６には、溝部４７の上記各開放検出スイッチ３８Ｂ、３８Ｃが取付けられていた位置に対応する該溝部４７の底面には、第１部分回路部を構成する銅箔等で形成される各第１端子部６２、６３が設けられている。また、各第１端子部６２、６３には、接続ケーブル３８Ｄの一端側の配線が半田付などによって接続され、各第１端子部６２、６３は該接続ケーブル３８Ｄを介して電気的に接続されている。尚、各第１端子部６２、６３には、接続ケーブル３８Ｄを介して中央管理装置５１から所定の電圧がかけられる。
【００４２】
また、図７及び図８に示すように、カバー部材４５の開放側先端部の、各第１端子部６２、６３に対向する位置には、銅箔等で形成される各第２端子部６４、６５が設けられている。また、この各第２端子部６４、６５は、カバー部材４５の内側面に配設される銅箔などで形成される配線部６６により電気的に接続されている。ここで、各第２端子部６４、６５、及び配線部６６は、第２部分回路部を構成する
【００４３】
次に、図８に示すように、基板ボックス６１の組み立ては、ケース本体４６に主基板３８を取り付け後、カバー部材４５の開放側先端部を溝部４７に嵌入させて、溝部４７の底面に当接するまで矢印Ｂ方向に押し込む。続いて、各第２取付部５４、５４、５４にビスを挿入して各第１取付部５２、５２、５２にネジ止めする。そして、第２突片部５３Ａに不図示の茶色の合成樹脂製の係止部材を上側から嵌挿して、該係止部材の下側に突出して設けられる２個の弾性係止片の先端部に形成される係止突起を第１突片部４９Ａの各係止孔５０に係り止めさせることにより、カバー部材４５のケース本体４６への取り付けが封止される。同時に、各第２端子部６４、６５は、各第１端子部６２、６３に当接される。これにより、接続ケーブル３８Ｄ→第１端子部６２→第２端子部６４→配線部６６→第２端子部６５→第１端子部６３を結ぶ電気回路が構成され、接続ケーブル３８Ｄの先端部において電気的導通を検出することができる。
一方、カバー部材４５をケース本体４６から少し持ち上げて、第１端子部６２と第２端子部６４とが離れた状態、または、第１端子部６３と第２端子部６５とが離れた状態になった場合には、この接続ケーブル３８Ｄ→第１端子部６２→第２端子部６４→配線部６６→第２端子部６５→第１端子部６３を結ぶ電気回路が遮断された状態になり、接続ケーブル３８Ｄの先端部において電気的切断を検出することができる。
また、第１突片部４９Ａ及び第２突片部５３Ａをケース本体４６とカバー部材４５とから切断すると共に、各第１取付部５２、５２、５２及び第２取付部５４、５４、５４からビスを取り外して、カバー部材４５をケース本体４６から取り外した場合にも、同様に、この接続ケーブル３８Ｄ→第１端子部６２→第２端子部６４→配線部６６→第２端子部６５→第１端子部６３を結ぶ電気回路が遮断された状態になり、接続ケーブル３８Ｄの先端部において電気的切断を検出することができる。
【００４４】
そして、再度、カバー部材４５の開放側先端部を溝部４７に嵌入させて、溝部４７の底面に当接するまで矢印Ｂ方向に押し込む。続いて、各第２取付部５４、５４、５４にビスを挿入して各第１取付部５２、５２、５２にネジ止めする。そして、第２突片部５３Ｂに不図示の茶色の合成樹脂製の係止部材を上側から嵌挿して、該係止部材の下側に突出して設けられる２個の弾性係止片の先端部に形成される係止突起を第１突片部４９Ｂの各係止孔５０、５０に係り止めさせることにより、カバー部材４５のケース本体４６への取り付けが封止される。同時に、各第２端子部６４、６５は、各第１端子部６２、６３に当接される。これにより、接続ケーブル３８Ｄ→第１端子部６２→第２端子部６４→配線部６６→第２端子部６５→第１端子部６３を結ぶ電気回路が構成され、接続ケーブル３８Ｄの先端部において電気的導通を検出することができる。したがって、最大４回まで、基板ボックス６１を封止することができる。
【００４５】
以上詳細に説明した通り第２実施形態に係るパチンコ機１の基板ボックス６１は、ケース本体４６に主基板３８を取り付け後、カバー部材４５の開放側先端部を溝部４７に嵌入させて、溝部４７の底面に当接するまで矢印Ｂ方向に押し込む。続いて、カバー部材４５をケース本体４６に取り付けて、主基板３８を基板ボックス６１内に封止する。これにより、各第２端子部６４、６５は、各第１端子部６２、６３に当接され、接続ケーブル３８Ｄ→第１端子部６２→第２端子部６４→配線部６６→第２端子部６５→第１端子部６３を結ぶ電気回路が構成され、接続ケーブル３８Ｄの先端部において電気的導通を検出することができる。
【００４６】
したがって、各第１端子部６２、６３は、溝部４７の底面に設けられ、各第２端子部６４、６５は、カバー部材４５の開放側先端部に設けられるため、これら各端子部６２、６３、６４、６５は、溝部４７とカバー部材４５の開放側先端部とによって構成される空間内に封止でき、各端子部６２、６３、６４、６５へのゴミ等の付着や破壊を防止できて長期間電気的性能を維持することができる。また、カバー部材４５が、ケース本体４６から持ち上げられたり、取り外された場合には、接続ケーブル３８Ｄ→第１端子部６２→第２端子部６４→配線部６６→第２端子部６５→第１端子部６３を結ぶ電気回路が遮断されるため、カバー部材４５が、ケース本体４６から持ち上げられたり、取り外された状態を、接続ケーブル３８Ｄを介して外部から電気的に確実に検出できる。また、再度、ケース本体４６にカバー部材４５を取り付けることにより、カバー部材４５が、ケース本体４６から持ち上げられたり、取り外された状態を、接続ケーブル３８Ｄを介して外部から繰り返し電気的に確実に検出できる。
また、溝部４７は、ケース本体４６の上端面の全周に形成されているため、この溝部４７内へのゴミなどの侵入を防止でき、各端子部６２、６３、６４、６５へのゴミの付着などを長期間防止できる。
更に、各端子部６２、６３、６４、６５の電気的接触情報は、接続ケーブル３８Ｄを介して中央管理装置５１に接続されるため、パチンコホール内の多くのパチンコ機を集中管理することができ、パチンコ機等の管理費用の削減化を図ることができる。
【００４７】
次に、第３実施形態に係るパチンコ機について説明する。第３実施形態に係るパチンコ機の概略構成は、第１実施形態に係るパチンコ機１とほぼ同じ構成である。但し、第３実施形態に係るパチンコ機の各開放検出スイッチ３８Ｂ、３８Ｃへ所定の電圧を印可する構成が、第１実施形態に係る基板ボックス３８Ａの各開放検出スイッチ３８Ｂ、３８Ｃの構成と異なっている。
【００４８】
ここで第３実施形態に係るパチンコ機の基板ボックス３８Ａの概略構成について、図９に基づいて説明する。図９は第３実施形態に係るパチンコ機の基板ボックス３８Ａを構成するケース本体を示す図で、（Ａ）は平面図、（Ｂ）は正面図である。尚、第３実施形態に係るパチンコ機の基板ボックス３８Ａは、第１実施形態に係るパチンコ機１の基板ボックス３８Ａとほぼ同じ構成である。
図９に示すように、ケース本体４６内に配置される主基板３８の一端側（図２（Ａ）中、左側）上面には、電池ケース７１が設けられている。そして、この電池ケース７１には、所定電圧の電池７２が取り付けられている。また、この電池７２の各端子は、電池ケース７１を介して各配線７３、７３によって、溝部４７の底面に固定される各開放検出スイッチ３８Ｂ、３８Ｃの一側の端子に接続されている。また、この各配線７３、７３は、溝部４７内に配線されている。
また、各開放検出スイッチ３８Ｂ、３８Ｃの他側の端子は、接続ケーブル７４に接続されている。また、この接続ケーブル７４は、溝部４７内に配線されている。
【００４９】
次に、この電池７２、各配線７３、７３、各開放検出スイッチ３８Ｂ、３８Ｃ、および接続ケーブル７４により構成される電気回路について図１０に基づいて説明する。図１０は第３実施形態に係るパチンコ機の基板ボックス３８Ａに装着される電池７２、各配線７３、７３、各開放検出スイッチ３８Ｂ、３８Ｃ、及び接続ケーブル７４により構成される電気回路を模式的に示す図である。
図１０に示すように、各開放検出スイッチ３８Ｂ、３８Ｃのスイッチ本体５６の一側には、電池７２の各端子が各配線７３、７３を介して接続されている。また、各開放検出スイッチ３８Ｂ、３８Ｃのスイッチ本体５６の他側には、接続ケーブル７４の各配線が接続されている。これにより、この電池７２、各開放検出スイッチ３８Ｂ、３８Ｃは、各配線７３、７３、及び接続ケーブル７４を介して直列に接続されている。また、各開放検出スイッチ３８Ｂ、３８Ｃのスイッチ本体５６内には電気回路を備えており、接触部材５７がスイッチ本体５６から突き出している状態の場合には、この電気回路は遮断される。また、接触部材５７がスイッチ本体５６内部に収納された状態の場合には、この電気回路は接続状態になる。さらに、電池７２の各端子間の電圧は、各配線７３、７３、各開放検出スイッチ３８Ｂ、３８Ｃおよび接続ケーブル７４を介して中央管理装置５１に出力される。
【００５０】
これにより、このケース本体４６に主基板３８および電池７２等を取り付け後、図４に示すように、カバー部材４５の開放側先端部を溝部４７に嵌入させて、溝部４７の底面に当接するまで矢印Ａ方向に押し込む。続いて、各第２取付部５４、５４、５４にビスを挿入して各第１取付部５２、５２、５２にネジ止めする。そして、第２突片部５３Ａに不図示の茶色の合成樹脂製の係止部材を上側から嵌挿して、該係止部材の下側に突出して設けられる２個の弾性係止片の先端部に形成される係止突起を第１突片部４９Ａの各係止孔５０、５０に係り止めさせることにより、カバー部材４５のケース本体４６への取り付けが封止される。同時に、各開放検出スイッチ３８Ｂ、３８Ｃの各接触部材５７、５７はカバー部材４５の先端面に押さえられて、各スイッチ本体５６、５６内部に収納された状態になる。即ち、電池７２、各配線７３、７３、各開放検出スイッチ３８Ｂ、３８Ｃ、および接続ケーブル７４が直列に接続された状態になり、接続ケーブル７４の先端部において電池７２の各端子間の電圧を検出することができる（図１０参照）。
一方、カバー部材４５をケース本体４６から少し持ち上げて、各開放検出スイッチ３８Ｂ、３８Ｃの少なくとも一方の接触部材５７がスイッチ本体５６から突き出した状態になった場合には、各開放検出スイッチ３８Ｂ、３８Ｃにより電池７２及び各配線７３、７３と接続ケーブル７４とは遮断された状態になり、接続ケーブル７４の先端部において電気的切断を検出することができる（図１０参照）。
また、第１突片部４９Ａ及び第２突片部５３Ａをケース本体４６とカバー部材４５とから切断すると共に、各第１取付部５２、５２、５２及び第２取付部５４、５４、５４からビスを取り外して、カバー部材４５をケース本体４６から取り外した場合にも、同様に、各開放検出スイッチ３８Ｂ、３８Ｃにより電池７２と接続ケーブル７４によって構成される電気回路は遮断された状態になり、接続ケーブル７４の先端部において電気的切断を検出することができる（図１０参照）。
【００５１】
そして、再度、カバー部材４５の開放側先端部を溝部４７に嵌入させて、溝部４７の底面に当接するまで矢印Ａ方向に押し込む（図４参照）。続いて、各第２取付部５４、５４、５４にビスを挿入して各第１取付部５２、５２、５２にネジ止めする。そして、第２突片部５３Ｂに不図示の茶色の合成樹脂製の係止部材を上側から嵌挿して、該係止部材の下側に設けられる２個の弾性係止片の先端部に形成される係止突起を第１突片部４９Ｂの各係止孔５０、５０に係り止めさせることにより、カバー部材４５のケース本体４６への取り付けが封止される。同時に、各開放検出スイッチ３８Ｂ、３８Ｃの各接触部材５７、５７はカバー部材４５の先端面に押さえられて、各スイッチ本体５６、５６内部に収納された状態になる。即ち、電池７２、各配線７３、７３、各開放検出スイッチ３８Ｂ、３８Ｃ、および接続ケーブル７４は、直列に接続された状態になり、接続ケーブル７４の先端部において電池７２の各端子間の電圧を検出することができる（図１０参照）。したがって、最大４回まで、基板ボックス３８Ａを封止することができる。
【００５２】
以上詳細に説明した通り第３実施形態に係るパチンコ機の基板ボックス３８Ａは、ケース本体４６に主基板３８や電池７２等を取り付け後、カバー部材４５の開放側先端部を溝部４７に嵌入させて、溝部４７の底面に当接するまで矢印Ａ方向に押し込む（図４参照）。続いて、カバー部材４５をケース本体４６に取り付けて、主基板３８および電池７２等を基板ボックス３８Ａ内に封止する。これにより、各開放検出スイッチ３８Ｂ、３８Ｃの各接触部材５７、５７はカバー部材４５の先端面に押さえられて、各スイッチ本体５６、５６内部に収納された状態になる。即ち、電池７２、各配線７３、７３、各開放検出スイッチ３８Ｂ、３８Ｃ、および接続ケーブル７４が直列に接続された状態になると共に、中央管理装置５１へ接続ケーブル７４の先端部を介して電池７４の各端子間の電圧が出力され、中央装置５１において電気的導通を検出することができる。
【００５３】
したがって、各開放検出スイッチ３８Ｂ、３８Ｃは、凹部を構成する溝部４７の底面に設けられるため、各開放検出スイッチ３８Ｂ、３８Ｃを該溝部４７とカバー部材４５の先端部によって構成される空間内に封止でき、各開放検出スイッチ３８Ｂ、３８Ｃへのゴミ等の付着や破壊を防止できて長期間電気的性能を維持することができる。また、カバー部材４５が、ケース本体４６から持ち上げられたり、取り外された場合には、各開放検出スイッチ３８Ｂ、３８Ｃの内部に構成される電気回路が遮断されるため、カバー部材４５が、ケース本体４６から持ち上げられたり、取り外された状態を、接続ケーブル７４を介して外部から電気的に確実に検出できる。また、再度、ケース本体４６にカバー部材４５を取り付けることにより、カバー部材４５が、ケース本体４６から持ち上げられたり、取り外された状態を、この接続ケーブル７４を介して外部から繰り返し電気的に確実に検出できる。
また、溝部４７は、ケース本体４６の上端面の全周に形成されているため、この溝部４７内へのゴミなどの侵入を防止でき、各開放検出スイッチ３８Ｂ、３８Ｃへのゴミの付着などを長期間防止できる。
また、電池７２の各端子間の電圧が、各配線７３、７３、各開放検出スイッチ３８Ｂ、３８Ｃ、及び接続ケーブル７４を介して中央管理装置５１に出力されるため、パチンコ機の主基板３８等にショート等が発生してパチンコ機の主基板３８等の動作が停止しても、カバー部材４５が、ケース本体４６から持ち上げられたり、取り外された状態を、接続ケーブル７４を介して外部から電気的に確実に検出できる。
更に、各開放検出スイッチ３８Ｂ、３８Ｃは、接続ケーブル７４を介して中央管理装置５１に接続されるため、パチンコホール内の多くのパチンコ機を集中管理することができ、パチンコ機等の管理費用の削減化を図ることができる。
【００５４】
尚、本発明は上記第１乃至第３実施形態に限定されることはなく、本発明の要旨を逸脱しない範囲内で種々の改良、変形が可能であることは勿論であり、以下のようにしてもよい。
（ａ）前記第１乃至第３実施形態では、各基板ボックス３８Ａ、６１の封止状態を検出する電気的手段を設けたが、コントロールボックス４０や各種制御基板が収納される基板ボックスにも設けるようにしてもよい。
（ｂ）前記第１及び第３実施形態では、２個の各開放検出スイッチ３８Ｂ、３８Ｃを設けたが、溝部４７内に３個以上設ける構成にしてもよい。
（ｃ）前記第１及び第３実施形態では、カバー部材４５をケース本体４６から取り外した場合には、各開放検出スイッチ３８Ｂ、３８Ｃの電気回路が遮断される構成にしたが、カバー部材４５をケース本体４６に取り付けた状態の場合に、各開放検出スイッチ３８Ｂ、３８Ｃの電気回路が遮断される構成にしてもよい。
（ｄ）前記第２実施形態では、配線部６６を銅箔等で構成したが、細いリード線などで構成してもよい。
（ｅ）前記第２実施形態では、接続ケーブル３８Ｄを介して中央管理装置５１から所定電圧を各開放検出スイッチ３８Ｂ、３８Ｃに印可したが、基板ボックス６１内に電池を設け、該電池の各端子間の電圧を配線６６、各第２端子部６４、６５、各第１端子部６２、６３、及び接続ケーブル３８Ｄを介して中央管理装置５１側で検出する構成にしてもよい。これにより、中央管理装置５１側の電圧検出部の構成を簡易なものにすることができる。
（ｆ）前記第３実施形態では、電池７２を電池ケース７１に取り付けているが、電池７２を充電可能な電池で構成し、パチンコ機が動作している場合には、この電池が充電される構成にしてもよい。これにより、電池７２の放電等による電圧低下を防止できる。
【００５５】
【発明の効果】
以上説明した通り請求項１の遊技機では、遊技機の動作状態を制御する所定の制御基板が、上側に開放される箱体状に形成されたケース本体に定設され、この所定の制御基板を覆うように下側に開放される箱体状に形成されたカバー部材が該ケース本体に取り付けられる。また、ケース本体にカバー部材を取り付けた場合には、該ケース本体の上側端面の全周に形成された所定深さの溝部に、該カバー部材の側壁部の開放側下端部の全周が嵌入されて該溝部の底面に当接される。また、ケース本体にカバー部材を取り付けた場合には、該ケース本体の溝部内に設けられた第１部分回路部に導電性を有する薄膜で形成された一対の第１端子部と、該カバー部材の開放側下端面及び内側面に導電性を有する薄膜で形成された第２部分回路部の一対の第２端子部とが接触して電気回路が構成される。そして、ケース本体からカバー部材を取り外した場合には、該第１部分回路部の一対の第１端子部が第２部分回路部の一対の第２端子部から離間されて電気回路が遮断され、検出情報が出力手段を介して外部に出力される。
これにより、第１部分回路部の一対の第１端子部と第２部分回路部の一対の第２端子部とは、ケース本体の溝部の底面とカバー部材の開放側下端部とによって封止されるため、一対の第１端子部と一対の第２端子部へのゴミ等の付着や破壊を防止できて長期間電気的性能を維持することができる。また、カバー部材が、ケース本体から持ち上げられたり、取り外された場合には、第１部分回路部の一対の第１端子部が第２部分回路部の一対の第２端子部から離間されて電気回路が遮断されるため、カバー部材が、ケース本体から持ち上げられたり、取り外された状態を、出力手段を介して外部から電気的に確実に検出できる。
また、溝部は、ケース本体の上端面の全周に形成されているため、この溝部へカバー部材の開放側下端部の全周を嵌入させることによって、溝部内へのゴミなどの侵入を防止でき、一対の第１端子部と一対の第２端子部へのゴミの付着などを長期間防止できる。
更に、再度、ケース本体にカバー部材を取り付けることにより、この第１部分回路部と第２部分回路部とを介してケース本体からカバー部材が取り外されたことを外部から繰り返し確実に検出できる。
【００５６】
【００５７】
【００５８】
【００５９】
【００６０】
【００６１】
【図面の簡単な説明】
【図１】  第１実施形態に係るパチンコ機全体を示した背面図である。
【図２】  第１実施形態に係るパチンコ機の基板ボックスを構成するケース本体を示す図で、（Ａ）は平面図、（Ｂ）は正面図である。
【図３】  第１実施形態に係るパチンコ機の基板ボックスを構成するカバー部材を示す図で、（Ａ）は平面図、（Ｂ）は正面図である。
【図４】  第１実施形態に係るパチンコ機の基板ボックスの組み立てを模式的に示すための各開放検出スイッチを含む要部断面図である。
【図５】  第１実施形態に係るパチンコ機の基板ボックスに装着される各開放検出スイッチ及び接続ケーブルにより構成される電気回路を模式的に示す図である。
【図６】  第２実施形態に係るパチンコ機の基板ボックスを構成するケース本体を示す平面図である。
【図７】  第２実施形態に係るパチンコ機の基板ボックスを構成するカバー部材を示す図で、（Ａ）は平面図、（Ｂ）は正面図である。
【図８】  第２実施形態に係るパチンコ機の基板ボックスの組み立てを模式的に示すための各第１端子部及び第２端子部を含む要部断面図である。
【図９】  第３実施形態に係るパチンコ機の基板ボックスを構成するケース本体を示す図で、（Ａ）は平面図、（Ｂ）は正面図である。
【図１０】  第３実施形態に係るパチンコ機の基板ボックスに装着される電池、各配線、各開放検出スイッチ、及び接続ケーブルにより構成される電気回路を模式的に示す図である。
【符号の説明】
１                パチンコ機
３８              主基板
３８Ａ、６１      基板ボックス
３８Ｂ、３８Ｃ   開放検出スイッチ
３８Ｄ、７４      接続ケーブル
４５              カバー部材
４６              ケース本体
４９Ａ〜４９Ｄ    第１突片部
５２              第１取付部
５３Ａ〜５３Ｄ    第２突片部
５４              第２取付部
５６              スイッチ本体
５７              接触部材
６２、６３        第１端子部
６４、６５        第２端子部
６６              配線部
７１              電池ケース
７２              電池
７３              配線
【図１】
0004418910.tif 000002
【図２】
0004418910.tif 000003
【図３】
0004418910.tif 000004
【図４】
0004418910.tif 000005
【図５】
0004418910.tif 000006
【図６】
0004418910.tif 000007
【図７】
0004418910.tif 000008
【図８】
0004418910.tif 000009
【図９】
0004418910.tif 000010
【図１０】
0004418910.tif 000011